(57)【要約】【課題】本発明は、かごに乗車している乗客の荷物を保持することができるエレベーターのかご内手摺を提供することを目的とする。【解決手段】本発明に係るエレベーターのかご内手摺５は、エレベーターのかご１内の壁面に沿って設けられた横木１０と、壁面に沿った方向から見て横木１０から突出したフック部１２と、を備えたものである。荷物１４は、フック部１２に吊り下げられることで、かご内手摺５によって保持される。乗客１３は、空いた手でかご内手摺５の横木１０に掴まる。【選択図】図４
2018127302.tif 000002
【特許請求の範囲】
【請求項１】
エレベーターのかご内の壁面に沿って設けられた横木と、
前記壁面に沿った方向から見て前記横木から突出したフック部と、
を備えたエレベーターのかご内手摺。
【請求項２】
前記フック部は、前記横木から上向きに突出した請求項１に記載のエレベーターのかご内手摺。
【請求項３】
前記フック部は、鉤状に形成され、前記横木から下向きに突出した請求項１に記載のエレベーターのかご内手摺。
【請求項４】
前記フック部は、前記壁面に沿った方向から見て、前記横木のかご中央側の端部よりも前記壁面に近い位置にある請求項１から３のいずれか１項に記載のエレベーターのかご内手摺。
【請求項５】
前記横木には、長手方向に沿ったレール部が形成され、
前記フック部は、前記レール部に取り付けられ、前記レール部に沿って移動可能である請求項１から４のいずれか１項に記載のエレベーターのかご内手摺。
【請求項６】
請求項１から５のいずれか１項に記載のエレベーターのかご内手摺と、
前記フック部に物体が吊り下げられていることを検出する荷物検出部と、
前記荷物検出部の検出結果に基づいてかご内に荷物が存在するか否かを判定するかご内荷物判定部と、
前記かご内荷物判定部による判定結果に基づいてかご内の報知部から情報を報知させる報知制御部と、
を備えた忘れ物防止機能付きエレベーター。
【請求項７】
かごの移動状態を判定する移動状態判定部を備え、
前記報知制御部は、前記かご内荷物判定部による判定結果及び前記移動状態判定部による判定結果に基づいて前記報知部から情報を報知させる請求項６に記載の忘れ物防止機能付きエレベーター。
【請求項８】
前記報知制御部は、前記かご内荷物判定部によりかご内に荷物が存在すると判定され且つ前記移動状態判定部によりかごが間もなく停止すると判定された場合に、前記報知部から情報を報知させる請求項７に記載の忘れ物防止機能付きエレベーター。
【請求項９】
前記報知制御部は、前記移動状態判定部によりかごが停止したと判定され且つ前記かご内荷物判定部によりかご内に荷物が存在すると判定された場合に、前記報知部から情報を報知させる請求項７又は８に記載の忘れ物防止機能付きエレベーター。
【請求項１０】
かご内が無人であるか否かを判定するかご内乗客判定部を備え、
前記報知制御部は、前記かご内荷物判定部による判定結果、前記移動状態判定部による判定結果及び前記かご内乗客判定部による判定結果に基づいて前記報知部から情報を報知させる請求項７から９のいずれか１項に記載の忘れ物防止機能付きエレベーター。
【請求項１１】
前記移動状態判定部によりかごが停止したと判定され、前記かご内荷物判定部によりかご内に荷物が存在すると判定され且つ前記かご内乗客判定部によりかご内が無人であると判定された場合に、かごの戸開時間を延長させる運転制御部を備え、
前記報知制御部は、前記移動状態判定部によりかごが停止したと判定され、前記かご内荷物判定部によりかご内に荷物が存在すると判定され且つ前記かご内乗客判定部によりかご内が無人であると判定された場合に、前記報知部から情報を報知させる請求項１０に記載の忘れ物防止機能付きエレベーター。
【請求項１２】
エレベーターのかご内の壁面に沿って設けられたかご内手摺に着脱可能である把持部と、
前記把持部から突出したフック部と、
を備えたかご内手摺用フック装置。
【請求項１３】
前記フック部は、前記把持部が前記かご内手摺に取り付けられた状態において、前記壁面に沿った方向から見て、前記かご内手摺のかご中央側の端部よりも前記壁面に近い位置にある請求項１２に記載のかご内手摺用フック装置。
【請求項１４】
前記フック部に物体が吊り下げられていることを検出する荷物検出部と、
前記荷物検出部の検出結果に基づいてかご内に荷物が存在するか否かを判定するかご内荷物判定部と、
情報を報知する報知部と、
前記かご内荷物判定部による判定結果に基づいて前記報知部から情報を報知させる報知制御部と、
を備えた請求項１２又は１３に記載のかご内手摺用フック装置。
【請求項１５】
上下方向の加速度を検出する加速度センサと、
前記加速度センサによる検出結果に基づいてかごの移動状態を判定する移動状態判定部と、
を備え、
前記報知制御部は、前記かご内荷物判定部による判定結果及び前記移動状態判定部による判定結果に基づいて前記報知部から情報を報知させる請求項１４に記載のかご内手摺用フック装置。
【請求項１６】
前記報知制御部は、前記かご内荷物判定部によりかご内に荷物が存在すると判定され且つ前記移動状態判定部によりかごが間もなく停止すると判定された場合に、前記報知部から情報を報知させる請求項１５に記載のかご内手摺用フック装置。
【請求項１７】
前記報知制御部は、前記移動状態判定部によりかごが停止したと判定され且つ前記かご内荷物判定部によりかご内に荷物が存在すると判定された場合に、前記報知部から情報を報知させる請求項１５又は１６に記載のかご内手摺用フック装置。
【請求項１８】
人感センサと、
前記人感センサによる検出結果に基づいてかご内が無人であるか否かを判定するかご内乗客判定部と、
を備え、
前記報知制御部は、前記かご内荷物判定部による判定結果、前記移動状態判定部による判定結果及び前記かご内乗客判定部による判定結果に基づいて前記報知部から情報を報知させる請求項１５から１７のいずれか１項に記載のかご内手摺用フック装置。
【請求項１９】
前記報知制御部は、前記移動状態判定部によりかごが停止したと判定され、前記かご内荷物判定部によりかご内に荷物が存在すると判定され且つ前記かご内乗客判定部によりかご内が無人であると判定された場合に、前記報知部から情報を報知させる請求項１８に記載のかご内手摺用フック装置。
【発明の詳細な説明】
【技術分野】
【０００１】
本発明は、エレベーターのかご内手摺、エレベーター及びフック装置に関する。
【背景技術】
【０００２】
従来、かご内に手摺が設けられたエレベーターが知られている。かご内に設けられた手摺として、例えば、下記特許文献１に記載されたものがある。
【先行技術文献】
【特許文献】
【０００３】
【特許文献１】特開２００４−１６１４０３号公報
【発明の概要】
【発明が解決しようとする課題】
【０００４】
かご内に設けられた手摺は、例えば、エレベーターの乗客が掴まることで体勢を安定させるために使用される。しかしながら、例えば、両手に荷物を持っている乗客は、手摺を使用し難い。
【０００５】
本発明は、上記の課題を解決するためになされた。その目的は、かごに乗車している乗客の荷物を保持することができるエレベーターのかご内手摺、忘れ物防止機能付きエレベーター及びかご内手摺用フック装置を提供することである。
【課題を解決するための手段】
【０００６】
本発明に係るエレベーターのかご内手摺は、エレベーターのかご内の壁面に沿って設けられた横木と、壁面に沿った方向から見て横木から突出したフック部と、を備えたものである。
【０００７】
本発明に係る忘れ物防止機能付きエレベーターは、上記のエレベーターのかご内手摺と、フック部に物体が吊り下げられていることを検出する荷物検出部と、荷物検出部の検出結果に基づいてかご内に荷物が存在するか否かを判定するかご内荷物判定部と、かご内荷物判定部による判定結果に基づいてかご内の報知部から情報を報知させる報知制御部と、を備えたものである。
【０００８】
本発明に係るかご内手摺用フック装置は、エレベーターのかご内の壁面に沿って設けられたかご内手摺に着脱可能である把持部と、把持部から突出したフック部と、を備えたものである。
【発明の効果】
【０００９】
本発明において、エレベーターのかご内手摺には、フック部が設けられる。このため、本発明によれば、かごに乗車している乗客の荷物を保持することができる。
【図面の簡単な説明】
【００１０】
【図１】実施の形態１におけるエレベーターのかご内を示す斜視図である。
【図２】実施の形態１におけるかご内手摺の第１の正面図である。
【図３】実施の形態１におけるかご内手摺の第１の側面図である。
【図４】実施の形態１におけるかご内手摺の使用例を示す図である。
【図５】実施の形態１におけるかご内手摺の第２の正面図である。
【図６】実施の形態１におけるかご内手摺の第２の側面図である。
【図７】実施の形態１におけるかご内手摺の第３の側面図である。
【図８】実施の形態１におけるエレベーターの機能ブロック図である。
【図９】実施の形態１におけるエレベーターの動作例を示すフローチャートである。
【図１０】実施の形態２におけるフック装置の側面図である。
【図１１】実施の形態２におけるフック装置の機能ブロック図である。
【図１２】制御盤のハードウェア構成図である。
【発明を実施するための形態】
【００１１】
添付の図面を参照して、エレベーターのかご内手摺、忘れ物防止機能付きエレベーター及びかご内手摺用フック装置を詳細に説明する。各図では、同一又は相当する部分に同一の符号を付している。重複する説明は、適宜簡略化あるいは省略する。
【００１２】
実施の形態１．
図１は、実施の形態１におけるエレベーターのかご内を示す斜視図である。
【００１３】
図１に示すように、エレベーターのかご１には、例えば、かごドア２、かご内操作盤３、監視カメラ４及びかご内手摺５が設けられている。かご内操作盤３は、例えば、かごドア２付近の壁面等に設けられる。監視カメラ４は、例えば、かご１内の壁面の上部等に設けられる。かご内手摺５は、例えば、かご１内の壁面のうち少なくとも１つに沿って設けられる。
【００１４】
かご内操作盤３は、例えば、操作部６及び報知部７を有する。操作部６としては、例えば、戸開ボタン、戸閉ボタン及び行先階ボタン等が設けられる。報知部７は、かご１内に情報を報知する機能を有する。報知部７としては、例えば、モニタ８、スピーカー９及び図示しないランプ等が設けられる。なお、報知部７は、かご内操作盤３とは別個に設けられてもよい。
【００１５】
図２は、実施の形態１におけるかご内手摺の第１の正面図である。図３は、実施の形態１におけるかご内手摺の第１の側面図である。図３は、かご１内の壁面に沿った方向から見たかご内手摺５を示している。図３における左側は、かご中央側である。
【００１６】
図２及び図３に示すように、かご内手摺５は、例えば、横木１０、支持部１１及びフック部１２を備える。支持部１１及びフック部１２は、例えば、複数設けられている。横木１０は、例えば、かご１内の壁面に接触しない状態で当該壁面に沿って設けられている。支持部１１は、例えば、横木１０の長手方向における端部に接続されている。横木１０は、例えば、腕木状の支持部１１を介してかご１内の壁面に支持されている。なお、横木１０は、例えば、柱状の支持部１１を介してかご１内の床面に支持されてもよい。
【００１７】
フック部１２は、例えば、横木１０の長手方向における端部に設けられている。フック部１２は、例えば、横木１０の長手方向における中央部には設けられていない。フック部１２は、例えば、かご１内の壁面に沿った方向から見て横木１０から突出している。フック部１２は、例えば、紐状又は環状の物体を引っ掛けることが可能な形状に形成されている。図３は、かご１内の壁面に沿った方向から見てかご中央側に向かって突出した鉤状のフック部１２を例示している。
【００１８】
図４は、実施の形態１におけるかご内手摺の使用例を示す図である。図４は、エレベーターの乗客１３が荷物１４を持ってかご１に乗り込んだ場合を示している。
【００１９】
荷物１４は、例えば、手提げ袋及びカバン等である。乗客１３は、例えば、荷物１４の持ち手部分をかご内手摺５のフック部１２に引っ掛ける。荷物１４は、フック部１２に吊り下げられることで、かご内手摺５によって保持される。乗客１３は、例えば、空いた手でかご内手摺５の横木１０に掴まる。
【００２０】
図５は、実施の形態１におけるかご内手摺の第２の正面図である。
【００２１】
横木１０には、例えば、図５に示すように、長手方向に沿ったレール部１０ａが形成されてもよい。フック部１２は、例えば、レール部１０ａに取り付けられてもよい。この場合、フック部１２は、レール部１０ａに沿って移動可能である。
【００２２】
図６は、実施の形態１におけるかご内手摺の第２の側面図である。図７は、実施の形態１におけるかご内手摺の第３の側面図である。図６及び図７は、かご１内の壁面に沿った方向から見たかご内手摺５を示している。図６及び図７における左側は、かご中央側である。
【００２３】
フック部１２は、例えば、図６に示すように、横木１０から上向きに突出して設けられてもよい。この場合、フック部１２の形状は、例えば、鉤状に形成されなくともよい。
【００２４】
フック部１２は、例えば、図７に示すように、横木１０から下向きに突出して設けられてもよい。この場合、フック部１２の形状は、例えば、鉤状に形成されている。
【００２５】
フック部１２は、例えば、図６及び図７に示すように、かご１内の壁面に沿った方向から見て、横木１０のかご中央側の端部よりも当該壁面に近い位置にあってもよい。つまり、フック部１２は、例えば、かご１内の壁面に沿った方向から見て、かご中央側に向かって突出していなくともよい。
【００２６】
図８は、実施の形態１におけるエレベーターの機能ブロック図である。
【００２７】
図８に示すように、エレベーターは、荷物検出部１５及び制御盤１６を備えている。制御盤１６は、運転制御部１７、報知制御部１８、かご内荷物判定部１９、移動状態判定部２０及びかご内乗客判定部２１を有する。
【００２８】
荷物検出部１５は、かご１に設けられている。荷物検出部１５は、例えば、かご内手摺５又はかご１内の壁面等に設けられている。制御盤１６は、例えば、機械室又は昇降路等に設けられている。制御盤１６は、操作部６、報知部７及び荷物検出部１５と電気的に接続されている。制御盤１６は、例えば、図８に図示しない監視カメラ４、巻上機、秤装置及び各種センサ等と電気的に接続されている。
【００２９】
荷物検出部１５は、フック部１２に物体が吊り下げられていることを検出する。荷物検出部１５は、例えば、フック部１２ごとに設けられている。荷物検出部１５の検出結果は、制御盤１６に送信される。
【００３０】
荷物検出部１５は、例えば、フック部１２に掛かる荷重を検出するセンサ等である。荷物検出部１５は、例えば、フック部１２に引っ掛けられた荷物１４の持ち手部分又はフック部１２の下方に吊り下げられた荷物１４本体を検出する光センサ等であってもよい。また、例えば、監視カメラ４を荷物検出部１５として用いてもよい。
【００３１】
運転制御部１７は、エレベーターの動作を制御する。運転制御部１７は、例えば、図示しない巻上機の駆動を制御することで、かご１の移動を制御する。運転制御部１７は、例えば、図示しない戸開閉装置を介して、エレベーターのドアの開閉を制御する。運転制御部１７は、例えば、操作部６に対する操作に基づいて、かご１の移動及びドアの開閉を行わせる。
【００３２】
報知制御部１８は、報知部７の動作を制御する。報知制御部１８は、例えば、モニタ８に文字及び画像等の視覚情報を表示させる。報知制御部１８は、例えば、スピーカー９からブザー音及び音声アナウンス等の音声情報を放送させる。報知制御部１８は、例えば、かご１内に設けられたランプを点灯及び消灯させる。
【００３３】
かご内荷物判定部１９は、荷物検出部１５の検出結果に基づいて、かご１内に荷物１４が存在するか否かを判定する。かご内荷物判定部１９は、例えば、荷物検出部１５により荷重が検出されている場合に、かご１内に荷物１４が存在すると判定する。かご内荷物判定部１９は、例えば、荷物検出部１５により荷重が検出されない場合に、かご１内に荷物１４が存在しないと判定する。
【００３４】
移動状態判定部２０は、かご１の移動状態を判定する。かご１の移動状態は、例えば、かご１が移動中であること、かご１が停止中であること、かご１が一定時間以内に移動開始すること及びかご１が一定時間以内に停止すること等を示す情報として表される。移動状態判定部２０は、例えば、運転制御部１７による制御内容に基づいてかご１の移動状態を判定してもよい。移動状態判定部２０は、例えば、巻上機のエンコーダから得られるかご１の位置に基づいてかご１の移動状態を判定してもよい。移動状態判定部２０は、例えば、かご１の上下方向の加速度を検出する加速度センサによる検出結果に基づいてかご１の移動状態を判定してもよい。
【００３５】
かご内乗客判定部２１は、かご１内が無人であるか否かを判定する。かご内乗客判定部２１は、例えば、エレベーターのロープ端部又はかご１の床部等に設けられた秤装置による検出値に基づいてかご１内が無人であるか否かを判定してもよい。かご内乗客判定部２１は、例えば、監視カメラ４により撮影された画像に基づいてかご１内が無人であるか否かを判定してもよい。かご内乗客判定部２１は、例えば、かご１内に設けられた人感センサによる検出結果に基づいてかご１内が無人であるか否かを判定してもよい。
【００３６】
報知制御部１８は、例えば、かご内荷物判定部１９による判定結果に基づいて、報知部７から情報を報知させる。
【００３７】
報知制御部１８は、例えば、かご内荷物判定部１９によりかご１内に荷物１４が存在すると判定された場合に、フック部１２に荷物１４が吊り下げられていることを示す情報を報知部７から報知させてもよい。当該情報の報知は、例えば、「荷物引っ掛け中」等の視覚情報をモニタ８等に表示させることで行われてもよい。当該情報の報知は、例えば、かご１内のランプを点灯又は点滅させることで行われてもよい。当該情報の報知は、例えば、かご内荷物判定部１９によりかご１内に荷物１４が存在すると判定されている間は継続されてもよい。
【００３８】
報知制御部１８は、例えば、かご内荷物判定部１９によりかご１内に荷物１４が存在すると判定された場合に、忘れ物に関して注意喚起する情報を報知部７から報知させてもよい。当該情報の報知は、例えば、１回だけ行われてもよい。当該情報の報知は、例えば、かご内荷物判定部１９によりかご１内に荷物１４が存在すると判定されなくなるまで繰り返し行われてもよい。
【００３９】
報知制御部１８は、例えば、かご内荷物判定部１９による判定結果及び移動状態判定部２０による判定結果に基づいて、報知部７から情報を報知させる。
【００４０】
報知制御部１８は、例えば、かご内荷物判定部１９によりかご１内に荷物１４が存在すると判定され、且つ、移動状態判定部２０によりかご１が一定時間以内に停止すると判定された場合に、忘れ物をしないよう促す情報を報知部７から報知させてもよい。当該一定時間は、例えば、１０秒以下に設定される。当該情報の報知は、例えば、かご１が停止する前の時点で行われる。当該情報の報知は、例えば、１回だけ行われてもよい。当該情報の報知は、例えば、かご１が停止するまでの間に繰り返し行われてもよい。
【００４１】
報知制御部１８は、例えば、移動状態判定部２０によりかご１が停止したと判定され、且つ、かご内荷物判定部１９によりかご１内に荷物１４が存在すると判定された場合に、忘れ物がないか確認することを促す情報を報知部７から報知させてもよい。当該情報の報知は、例えば、１回だけ行われてもよい。当該情報の報知は、例えば、かご１が移動開始するまでの間に繰り返し行われてもよい。
【００４２】
報知制御部１８は、例えば、かご内荷物判定部１９による判定結果、移動状態判定部２０による判定結果及びかご内乗客判定部２１による判定結果に基づいて、報知部７から情報を報知させる。
【００４３】
報知制御部１８は、例えば、移動状態判定部２０によりかご１が停止したと判定され、かご内荷物判定部１９によりかご１内に荷物１４が存在すると判定され、且つ、かご内乗客判定部２１によりかご１内が無人であると判定された場合に、かご１内に忘れ物があることを示す情報を報知部７から報知させてもよい。この際に、運転制御部１７は、例えば、かご１の戸開時間を一定時間だけ延長させてもよい。報知制御部１８は、当該情報が音声情報である場合、通常よりも大きい音量で当該情報を報知させてもよい。当該情報の報知は、例えば、１回だけ行われてもよい。当該情報の報知は、例えば、かご１が移動開始するまでの間に繰り返し行われてもよい。
【００４４】
報知制御部１８は、例えば、移動状態判定部２０によりかご１が停止したと判定され、かご内荷物判定部１９によりかご１内に荷物１４が存在すると判定され、且つ、かご内乗客判定部２１によりかご１内が無人でないと判定された場合に、かご１内に忘れ物がないか確認することを促す情報を報知部７から報知させてもよい。当該情報の報知は、例えば、１回だけ行われてもよい。当該情報の報知は、例えば、かご１が移動開始するまでの間に繰り返し行われてもよい。
【００４５】
図９は、実施の形態１におけるエレベーターの動作例を示すフローチャートである。
【００４６】
制御盤１６は、かご内手摺５のフック部１２に荷重が掛かっているか否かを判定する（ステップＳ１０１）。ステップＳ１０１で、フック部１２に荷重が掛かっていないと判定された場合、動作は終了する。
【００４７】
ステップＳ１０１で、フック部１２に荷重が掛かっていると判定された場合、制御盤１６は、かご１が間もなく停止するか否かを判定する（ステップＳ１０２）。ステップＳ１０２で、かご１が間もなく停止するわけではないと判定された場合、ステップＳ１０１の処理が行われる。
【００４８】
ステップＳ１０２で、かご１が間もなく停止すると判定された場合、制御盤１６は、例えば、「忘れ物にご注意ください」というアナウンスをスピーカー９から放送させる（ステップＳ１０３）。ステップＳ１０３に続いて、制御盤１６は、かご１が停止したか否かを判定する（ステップＳ１０４）。かご１が停止していない場合、ステップＳ１０４の処理が繰り返される。
【００４９】
かご１が停止した後、制御盤１６は、かご内手摺５のフック部１２に荷重が掛かっているか否かを判定する（ステップＳ１０５）。ステップＳ１０５で、フック部１２に荷重が掛かっていないと判定された場合、動作は終了する。
【００５０】
ステップＳ１０５で、フック部１２に荷重が掛かっていると判定された場合、制御盤１６は、かご１内が無人であるか否かを判定する（ステップＳ１０６）。
【００５１】
ステップＳ１０６で、かご１内が無人であると判定された場合、制御盤１６は、かご１の戸開時間を延長する（ステップＳ１０７）。この場合、制御盤１６は、例えば、「忘れ物があります」というアナウンスをスピーカー９から放送させる（ステップＳ１０８）。ステップＳ１０８におけるアナウンスの音量は、例えば、通常時よりも大きい。
【００５２】
ステップＳ１０６で、かご１内が無人でないと判定された場合、制御盤１６は、例えば、「忘れ物はありませんか、ご確認ください」というアナウンスをスピーカー９から放送させる（ステップＳ１０９）。
【００５３】
実施の形態１において、エレベーターのかご内手摺５は、横木１０及びフック部１２を備える。フック部１２は、壁面に沿った方向から見て横木１０から突出し、物を引っ掛けることが可能な形状に形成されている。このため、実施の形態１によれば、かご１に乗車している乗客１３の荷物１４をかご内手摺５に保持することができる。その結果、エレベーターの乗客にとっての利便性を向上させることができる。
【００５４】
実施の形態１において、フック部１２は、例えば、横木１０から上向きに突出する。このため、かご１に乗車している乗客１３の荷物１４をかご内手摺５に保持することができる。
【００５５】
実施の形態１において、フック部１２は、例えば、鉤状に形成され、横木１０から下向きに突出する。このため、かご１に乗車している乗客１３の荷物１４をかご内手摺５に保持することができる。
【００５６】
実施の形態１において、フック部１２は、例えば、かご１内の壁面に沿った方向から見て、横木１０のかご中央側の端部よりも壁面に近い位置にある。このため、フック部１２が乗客の体及び衣服等に接触することを防止できる。
【００５７】
実施の形態１において、横木１０には、例えば、長手方向に沿ったレール部１０ａが形成されている。フック部１２は、例えば、レール部１０ａに取り付けられ、レール部１０ａに沿って移動可能である。このため、例えば、かご１内の混雑状況等に応じて、かご内手摺５に荷物１４を保持する位置を変更できる。
【００５８】
実施の形態１において、エレベーターは、荷物検出部１５、かご内荷物判定部１９及び報知制御部１８を備える。荷物検出部１５は、フック部１２に物体が吊り下げられていることを検出する。かご内荷物判定部１９は、荷物検出部１５の検出結果に基づいて、かご１内に荷物１４が存在するか否かを判定する。報知制御部１８は、かご内荷物判定部１９による判定結果に基づいて、報知部７から情報を報知させる。このため、実施の形態１によれば、忘れ物に関して注意喚起することができる。つまり、実施の形態１におけるエレベーターは、忘れ物防止機能を有する。
【００５９】
実施の形態１において、移動状態判定部２０は、かご１の移動状態を判定する。報知制御部１８は、例えば、かご内荷物判定部１９による判定結果及び移動状態判定部２０による判定結果に基づいて、報知部７から情報を報知させる。このため、かご１の移動状態に応じて、適切な形で忘れ物に関して注意喚起することができる。
【００６０】
実施の形態１において、報知制御部１８は、例えば、かご内荷物判定部１９によりかご１内に荷物１４が存在すると判定され、且つ、移動状態判定部２０によりかご１が間もなく停止すると判定された場合に、かご１が停止する前の時点で報知部７から情報を報知させる。このため、乗客がかご１から降車する前に、忘れ物をしないよう乗客に促すことができる。
【００６１】
実施の形態１において、報知制御部１８は、例えば、移動状態判定部２０によりかご１が停止したと判定され、且つ、かご内荷物判定部１９によりかご１内に荷物１４が存在すると判定された場合に、報知部７から情報を報知させる。このため、乗客がかご１から降車しようとする際に、忘れ物がないか確認することを促すことができる。
【００６２】
実施の形態１において、かご内乗客判定部２１は、かご１内が無人であるか否かを判定する。報知制御部１８は、例えば、かご内荷物判定部１９による判定結果、移動状態判定部２０による判定結果及びかご内乗客判定部２１による判定結果に基づいて、報知部７から情報を報知させる。このため、かご１の移動状態及び乗客の有無に応じて、適切な形で忘れ物に関して注意喚起することができる。
【００６３】
実施の形態１において、運転制御部１７は、例えば、移動状態判定部２０によりかご１が停止したと判定され、かご内荷物判定部１９によりかご１内に荷物が存在すると判定され、且つ、かご内乗客判定部２１によりかご１内が無人であると判定された場合に、かご１の戸開時間を延長させる。報知制御部１８は、例えば、移動状態判定部２０によりかご１が停止したと判定され、かご内荷物判定部１９によりかご１内に荷物が存在すると判定され、且つ、かご内乗客判定部２１によりかご１内が無人であると判定された場合に、報知部７から情報を報知させる。このため、他の乗客が乗っていないかご１から降りた乗客に対して、忘れ物があることを伝えることができる。
【００６４】
実施の形態１において、報知制御部１８は、例えば、移動状態判定部２０によりかご１が停止したと判定され、かご内荷物判定部１９によりかご１内に荷物が存在すると判定され、且つ、かご内乗客判定部２１によりかご１内が無人でないと判定された場合に、報知部７から情報を報知させる。このため、かご１内の乗客に忘れ物がないか確認することを促すことにより、かご１から降りた乗客に対して、忘れ物があることを間接的に伝えることができる。
【００６５】
実施の形態１における忘れ物防止機能付きエレベーターは、例えば、かご内手摺５を備えたものに限らない。例えば、フック部１２及び荷物検出部１５がかご１内の壁等に設けられた場合であっても、運転制御部１７、報知制御部１８、かご内荷物判定部１９、移動状態判定部２０及びかご内乗客判定部２１の上述した動作は可能である。
【００６６】
実施の形態２．
以下、実施の形態１との相違点を中心に、かご内手摺用フック装置を説明する。実施の形態１と同一又は相当する部分には同一の符号を付して、一部の説明を省略する。
【００６７】
図１０は、実施の形態２におけるフック装置の側面図である。図１０は、かご１内の壁面に沿った方向から見たかご内手摺５を示している。図１０における左側は、かご中央側である。
【００６８】
図１０に示すように、かご内手摺５は、横木１０及び支持部１１を備えるが、フック部１２を備えていない。かご内手摺５には、フック装置２２が着脱可能に取り付けられる。
【００６９】
図１０に示すように、フック装置２２は、例えば、把持部２３及びフック部１２を備える。把持部２３は、横木１０に着脱可能である。把持部２３は、例えば、蝶番で連結された複数の部材で形成されている。フック部１２は、例えば、把持部２３から突出している。図１０は、かご１内の壁面に沿った方向から見て下向きに突出した鉤状のフック部１２を例示している。
【００７０】
図１０に示すように、フック部１２は、例えば、横木１０のかご中央側の端部よりも壁面に近い位置にある。つまり、フック装置２２は、例えば、フック部１２がかご中央側に向かって突出しないように形成されている。
【００７１】
図１１は、実施の形態２におけるフック装置の機能ブロック図である。
【００７２】
図１１に示すように、フック装置２２は、報知部７、荷物検出部１５、報知制御部１８、かご内荷物判定部１９、移動状態判定部２０、かご内乗客判定部２１、加速度センサ２４及び人感センサ２５を備える。
【００７３】
フック装置２２は、例えば、かご内操作盤３、監視カメラ４及び制御盤１６と電気的に接続されていない。フック装置２２は、例えば、エレベーターの機器と通信する機能を有しない。
【００７４】
加速度センサ２４は、例えば、上下方向の加速度を検出する。人感センサ２５は、例えば、一定距離内に存在する物体を検出する光センサ等である。
【００７５】
移動状態判定部２０は、例えば、加速度センサ２４による検出結果に基づいてかご１の移動状態を判定する。かご内乗客判定部２１は、例えば、人感センサ２５による検出結果に基づいてかご１内が無人であるか否かを判定する。
【００７６】
実施の形態２において、フック装置２２は、把持部２３及びフック部１２を備える。把持部２３は、エレベーターのかご１内の壁面に沿って設けられたかご内手摺５に着脱可能である。フック部１２は、把持部２３から突出し、物を引っ掛けることが可能な形状に形成されている。このため、実施の形態２によれば、かご内手摺５にフック装置２２を取り付けることで、かご１に乗車している乗客１３の荷物１４をかご内手摺５に保持することができる。また、フック装置２２は、既設のかご内手摺５を変更することなく後付けすることが可能である。その結果、エレベーターの改修作業を行うことなく、乗客にとっての利便性を向上させることができる。
【００７７】
実施の形態２において、フック部１２は、例えば、把持部２３がかご内手摺５に取り付けられた状態において、かご１内の壁面に沿った方向から見て、かご内手摺５のかご中央側の端部よりも壁面に近い位置にある。このため、フック部１２が乗客の体及び衣服等に接触することを防止できる。
【００７８】
実施の形態２において、フック装置２２は、報知部７、荷物検出部１５、報知制御部１８、かご内荷物判定部１９、移動状態判定部２０、かご内乗客判定部２１、加速度センサ２４及び人感センサ２５を備える。これにより、フック装置２２は、運転制御部１７を必要とする動作を除き、実施の形態１における忘れ物防止機能付きエレベーターと同様の動作を行うことができる。このため、実施の形態２によれば、エレベーターの改修作業を行うことなく、忘れ物に関して注意喚起することが可能となる。
【００７９】
図１２は、制御盤のハードウェア構成図である。
【００８０】
制御盤１６における運転制御部１７、報知制御部１８、かご内荷物判定部１９、移動状態判定部２０及びかご内乗客判定部２１の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図１２は、処理回路が、その一部が専用ハードウェア５０として形成され、プロセッサ５１及びメモリ５２を備えている場合の例を示している。
【００８１】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００８２】
処理回路が少なくとも１つのプロセッサ５１及び少なくとも１つのメモリ５２を備える場合、制御盤１６の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００８３】
このように、処理回路は、ハードウェア、ソフトウェア、ファームウェア、又はこれらの組み合わせによって、制御盤１６の各機能を実現することができる。なお、フック装置２２の各機能も、図１２に示す処理回路と同様の処理回路により実現される。
【符号の説明】
【００８４】
１  かご
２  かごドア
３  かご内操作盤
４  監視カメラ
５  かご内手摺
６  操作部
７  報知部
８  モニタ
９  スピーカー
１０  横木
１０ａ  レール部
１１  支持部
１２  フック部
１３  乗客
１４  荷物
１５  荷物検出部
１６  制御盤
１７  運転制御部
１８  報知制御部
１９  かご内荷物判定部
２０  移動状態判定部
２１  かご内乗客判定部
２２  フック装置
２３  把持部
２４  加速度センサ
２５  人感センサ
５０  専用ハードウェア
５１  プロセッサ
５２  メモリ
【図１】
2018127302.tif 000003
【図２】
2018127302.tif 000004
【図３】
2018127302.tif 000005
【図４】
2018127302.tif 000006
【図５】
2018127302.tif 000007
【図６】
2018127302.tif 000008
【図７】
2018127302.tif 000009
【図８】
2018127302.tif 000010
【図９】
2018127302.tif 000011
【図１０】
2018127302.tif 000012
【図１１】
2018127302.tif 000013
【図１２】
2018127302.tif 000014